(57)【特許請求の範囲】
【請求項１】
第１ハウジングと、この第１ハウジングと嵌合可能で、かつフォロアピンを有する第２ハウジングと、前記第１ハウジングに対し前記両ハウジングの嵌合方向と直交する方向にスライド操作可能に組み付けられ、かつ前記フォロアピンと係合可能なカム溝を有するスライダと、そのスライダに配され、かつ前記スライダをスライド操作して前記フォロアピンと前記カム溝の係合によるカム作用によって前記両ハウジングを嵌合させるために押圧される操作部と、前記嵌合途上では待機位置において移動が規制されるものの前記嵌合完了時には検知位置への移動が許容される検知部材とを備えるコネクタであって、
前記検知部材は、前記操作部の外面に取り付けられて同面上を前記スライダのスライド方向と直交する方向に移動可能に組み付けられ、
かつ前記検知部材には、前記スライド方向に沿って撓み変位可能な係止部を有する撓み係止片が設けられ、前記係止部は、前記操作部の外面と内面を連通する空間に臨むような位置に配される一方、前記操作部には、前記待機位置にある前記検知部材の係止部と係止可能な移動規制部が設けられており、前記第１ハウジングにおいて前記係止部と前記スライド方向に対面する位置には、解除突部が設けられており、その解除突部は、前記両ハウジングの嵌合完了位置まで前記スライダをスライド操作させたときに前記空間を通じて前記係止部に接触して前記撓み係止片を撓ませて前記移動規制部と前記係止部の係止を解除することで前記検知部材の前記検知位置への移動を許容することを特徴とするコネクタ。
【請求項２】
前記操作部の外面には、凹部が設けられ、前記検知部材が前記検知位置に至ると、前記撓み係止片が復帰して前記係止部が前記凹部の内壁に係止することで前記検知部材が前記待機位置へ移動することが規制されることを特徴とする請求項１記載のコネクタ。
【請求項３】
前記検知部材には、前記待機位置から前記検知位置に向かう移動方向に沿って突出する抜止め部が設けられる一方、前記嵌合完了時であって前記検知部材が前記待機位置にあるときに前記第１ハウジングにおいて前記抜止め部の突出端と前記移動方向に対向する位置には、受け部が設けられており、前記抜止め部は、前記検知部材が前記検知位置に至ると前記受け部に係止して前記スライダの抜け方向へのスライド操作を規制することを特徴とする請求項１または請求項２に記載のコネクタ。
【請求項４】
第１ハウジングと、この第１ハウジングと嵌合可能で、かつフォロアピンを有する第２ハウジングと、前記第１ハウジングに対し前記両ハウジングの嵌合方向と直交する方向にスライド操作可能に組み付けられ、かつ前記フォロアピンと係合可能なカム溝を有するスライダと、そのスライダに配され、かつ前記スライダをスライド操作して前記フォロアピンと前記カム溝の係合によるカム作用によって前記両ハウジングを嵌合させるために押圧される操作部と、前記嵌合途上では待機位置において移動が規制されるものの前記嵌合完了時には検知位置への移動が許容される検知部材とを備えるコネクタであって、
前記検知部材は、前記操作部の外面に取り付けられて同面上を前記スライダのスライド方向と直交する方向に移動可能に組み付けられ、
かつ前記検知部材には、前記待機位置から前記検知位置に向かう移動方向に沿って突出する抜止め部が設けられる一方、前記嵌合完了時であって前記検知部材が前記待機位置にあるときに前記第１ハウジングにおいて前記抜止め部の突出端と前記移動方向に対向する位置には、受け部が設けられており、前記抜止め部は、前記検知部材が前記検知位置に至ると前記受け部に係止して前記スライダの抜け方向へのスライド操作を規制することを特徴とするコネクタ。
【発明の詳細な説明】
【技術分野】
【０００１】
本発明は、コネクタに関する。
【背景技術】
【０００２】
嵌合検知コネクタの一般的構造としては、下記特許文献１に示すものが知られている。このものは雌雄両コネクタを嵌合完了状態にロックするロックアームと、このロックアームの上面を覆うようにして装着され、かつ待機位置と検知位置との間を移動可能な検知部材とを備えている。一方、倍力機構付きのコネクタにはレバー式の他、スライド式と呼ばれる形式のものがある。具体的には雌コネクタハウジングの側面からカム溝を持ったスライダが組み込まれ、一方、雄コネクタハウジングのフードにはフォロアピンが備えられ、スライダのスライド操作によって、雄雌の嵌め合いを行うものも知られている。ところで、このようなタイプのコネクタに検知部材を取り付ける場合、スライド操作と検知部材の移動操作が互いに干渉し合わないように、スライド操作を行うための操作部とは別の場所に検知部材が設けられている。
【特許文献１】特開２００３−１４２２０９公報
【発明の開示】
【発明が解決しようとする課題】
【０００３】
しかしながら、このものは、スライド操作を行った後、一旦、指の位置を操作部から検知部材に場所変えし、それから検知部材を移動させる必要があるため、操作性が悪いという問題があった。本発明は上記のような事情に基づいて完成されたものであって、スライド操作から検知部材の移動操作に移行する際に、指による押し込み位置を大きく場所変えしないようにすることを目的とする。
【課題を解決するための手段】
【０００４】
上記の目的を達成するための手段として、請求項１の発明は、第１ハウジングと、この第１ハウジングと嵌合可能で、かつフォロアピンを有する第２ハウジングと、前記第１ハウジングに対し前記両ハウジングの嵌合方向と直交する方向にスライド操作可能に組み付けられ、かつ前記フォロアピンと係合可能なカム溝を有するスライダと、そのスライダに配され、かつ前記スライダをスライド操作して前記フォロアピンと前記カム溝の係合によるカム作用によって前記両ハウジングを嵌合させるために押圧される操作部と、前記嵌合途上では待機位置において移動が規制されるものの前記嵌合完了時には検知位置への移動が許容される検知部材とを備えるコネクタであって、前記検知部材は、前記操作部の外面に取り付けられて同面上を前記スライダのスライド方向と直交する方向に移動可能に組み付けられ、かつ前記検知部材には、前記スライド方向に沿って撓み変位可能な係止部を有する撓み係止片が設けられ、前記係止部は、前記操作部の外面と内面を連通する空間に臨むような位置に配される一方、前記操作部には、前記待機位置にある前記検知部材の係止部と係止可能な移動規制部が設けられており、前記第１ハウジングにおいて前記係止部と前記スライド方向に対面する位置には、解除突部が設けられており、その解除突部は、前記両ハウジングの嵌合完了位置まで前記スライダをスライド操作させたときに前記空間を通じて前記係止部に接触して前記撓み係止片を撓ませて前記移動規制部と前記係止部の係止を解除することで前記検知部材の前記検知位置への移動を許容する構成としたところに特徴を有する。
【０００５】
請求項２の発明は、請求項１に記載のものにおいて、前記操作部の外面には、凹部が設けられ、前記検知部材が前記検知位置に至ると、前記撓み係止片が復帰して前記係止部が前記凹部の内壁に係止することで前記検知部材が前記待機位置へ移動することが規制されるところに特徴を有する。
【０００６】
請求項３の発明は、請求項１または請求項２に記載のものにおいて、前記検知部材には、前記待機位置から前記検知位置に向かう移動方向に沿って突出する抜止め部が設けられる一方、前記嵌合完了時であって前記検知部材が前記待機位置にあるときに前記第１ハウジングにおいて前記抜止め部の突出端と前記移動方向に対向する位置には、受け部が設けられており、前記抜止め部は、前記検知部材が前記検知位置に至ると前記受け部に係止して前記スライダの抜け方向へのスライド操作を規制するところに特徴を有する。
【０００７】
請求項４の発明は、第１ハウジングと、この第１ハウジングと嵌合可能で、かつフォロアピンを有する第２ハウジングと、前記第１ハウジングに対し前記両ハウジングの嵌合方向と直交する方向にスライド操作可能に組み付けられ、かつ前記フォロアピンと係合可能なカム溝を有するスライダと、そのスライダに配され、かつ前記スライダをスライド操作して前記フォロアピンと前記カム溝の係合によるカム作用によって前記両ハウジングを嵌合させるために押圧される操作部と、前記嵌合途上では待機位置において移動が規制されるものの前記嵌合完了時には検知位置への移動が許容される検知部材とを備えるコネクタであって、前記検知部材は、前記操作部の外面に取り付けられて同面上を前記スライダのスライド方向と直交する方向に移動可能に組み付けられ、かつ前記検知部材には、前記待機位置から前記検知位置に向かう移動方向に沿って突出する抜止め部が設けられる一方、前記嵌合完了時であって前記検知部材が前記待機位置にあるときに前記第１ハウジングにおいて前記抜止め部の突出端と前記移動方向に対向する位置には、受け部が設けられており、前記抜止め部は、前記検知部材が前記検知位置に至ると前記受け部に係止して前記スライダの抜け方向へのスライド操作を規制するところに特徴を有する。
【発明の効果】
【０００８】
＜請求項１の発明＞
請求項１の発明によると、スライダの操作部に検知部材が設けられているから、スライド操作から検知部材の移動操作へ移行する際に、指による押し込み位置を大きく場所変えしなくてもよい。
また、両ハウジングの嵌合完了位置までスライダをスライド操作させたときに、空間を通じて係止部に接触して撓み係止片を撓ませて移動規制部と係止部の係止を解除することにより検知部材が検知位置に向けて移動することを許容するようにしたから、両ハウジングの嵌合途上で検知部材が不用意に待機位置から検知位置へ移動することが規制される。
【０００９】
＜請求項２の発明＞
請求項２の発明によると、検知部材が検知位置に至ると、係止部が凹部内に入り込んで撓み係止片が復帰するとともに検知部材が待機位置に向けて移動することを規制するようにしたから、検知部材を検知位置に固定することが可能である。
【００１０】
＜請求項３、４の発明＞
請求項３、４の発明によると、検知部材には、抜止め部が設けられ、嵌合完了時に第１ハウジングにおいて抜止め部の突出端と移動方向に対向する位置には、受け部が設けられ、検知部材が検知位置に至ると抜止め部が受け部に係止してスライダの抜け方向へのスライド操作を規制するようにしたから、検知部材の移動操作とスライダの抜止めを同時に行うことが可能である。
【発明を実施するための最良の形態】
【００１２】
＜実施形態１＞
本発明の実施形態１を図１ないし図２０によって説明する。本実施形態におけるコネクタは、図９および図１０に示すように、第１ハウジング１０と、第２ハウジング２０と、スライダ３０とを備えており、スライダ３０をスライド操作することにより両ハウジング１０，２０を嵌合させることが可能となっている。また、スライダ３０の操作部３１の操作面（本発明における外面に相当する。）３１Ａには検知部材４０が移動可能に装着されており、この検知部材４０は、両ハウジング１０，２０の嵌合完了に伴い移動操作が許容されることをもって嵌合完了状態であることが検知可能となっている。尚、以下の説明において、前後方向とは両ハウジング１０，２０の嵌合方向を基準として嵌合面側を前方とする。
【００１３】
第２ハウジング２０は合成樹脂製で、略ブロック状をなし、前方に向けて開口するフード部２１を有している。さらに、フード部２１の外周には取付部材２２が配されている。取付部材２２の外周面のうち幅方向両側には、図９に示すように、略円柱状をなす一対のフォロアピン２３，２３が外方に突出して設けられている。一方、フード部２１の奥壁２５には、図１に示すように、タブ状をなす第２端子金具２４が前後方向に貫通する形態で複数個配されている。第２端子金具２４のうち奥壁２５より後方部分には、電線Ｗに接続された第２バレル部２６が形成されている。
【００１４】
第１ハウジング１０は合成樹脂製で、略方形のブロック状をなす本体部１１を有している。本体部１１の外周には、図１に示すように、装着筒部１２が前方に開口して設けられている。また、本体部１１の外周面には、ゴム栓１３が嵌着されている。ゴム栓１３は、両ハウジング１０，２０の嵌合に伴って本体部１１の外周面とフード部２１の内周面との間で挟持されることにより、両ハウジング１０，２０間の防水が可能となっている。また、両ハウジング１０，２０の嵌合途上では装着筒部１２の内周面と取付部材２２の外周面とが摺接することで嵌合操作の案内が行われるようになっている。尚、ゴム栓１３の後端には、図示４箇所の固定部１３Ａが後方に突出して設けられており、装着筒部１２と本体部１１との間における奥面１２Ａには、固定部１３Ａが嵌入可能な固定孔１２Ｂが前後方向に貫通して設けられている。これにより、両ハウジング１０，２０を離脱するのに伴ってゴム栓１３も離脱してしまうことが規制される。
【００１５】
本体部１１の内部には、第２ハウジング２０の第２端子金具２４の位置に対応してキャビティ１４が前後方向に貫通して設けられている。キャビティ１４の内部には、図１に示すように、後方から第１端子金具１５が挿入されている。第１端子金具１５は、後方からキャビティ１４の内部に挿入されると、キャビティ１４を構成する前面壁によって前止まりがなされるとともに、キャビティ１４を構成する底面から前方に向けて撓み可能に片持ち状に突出する図示しないランスが係止することによって、後方に抜止めされた状態で保持されるようになっている。また、第１端子金具１５は、正規挿入位置にまで挿入されると、本体部１１の側面からリテーナ２９を挿入して、第１端子金具１５の後端に係止することより、ランスとともに後方へ二重で抜止めされている。尚、本体部１１の後方は、図示しない一括ゴム栓を挿入するための一括ゴム栓装着孔１４Ａが後方に開口して設けられている。一括ゴム栓装着孔１４Ａの内部に一括ゴム栓が装着されると、一括ゴム栓の抜止めを行う図示しないゴム栓押さえが一括ゴム栓装着孔１４Ａの後端開口を覆うようにして冠着可能とされている。
【００１６】
装着筒部１２の幅方向両側には、図１８に示すように、スライダ３０の後述するカム板３２をスライド挿入するためのスライダ収容空間１９が上下方向に貫通して一対設けられている。両スライダ収容空間１９，１９は、前端側が装着筒部１２の前端と面一をなしている。一方、嵌合面側からみて左側のスライダ収容空間（以下、左側スライダ収容空間１９Ｌという。）は、同右側のスライダ収容空間（以下、右側スライダ収容空間１９Ｒという。）よりも、後端側が後方に突出して形成されており、この突出した部分は後述する誤嵌合規制片３２Ｂを収容するための収容部１９Ｂとされている。
【００１７】
装着筒部１２の外周面のうち上側には、スライダ３０の後述する操作部３１の内面側に当接する当接面１７が形成されている。当接面１７は、図１７に示すように、幅方向両端が湾曲しており、幅方向中央からやや右側に偏心した位置（右側スライダ収容空間１９Ｒに対応する側：後述する検知位置側）には、解除突部１６が上方に突出して設けられている。また、右側スライド収容空間１９Ｒを構成する内壁のうち本体部１１側の内壁の上端には、図１９に示すように、略方形の孔形状をなし、かつ幅方向に貫通する形態の受け部１８が形成されている。受け部１８の内部には、検知部材４０の後述する抜止め部４２が入り込むことによりスライダ３０の抜け方向（後述する嵌合位置から検知位置へ向かう方向）へのスライド操作が規制可能となっている。
【００１８】
装着筒部１２の内周面のうち幅方向両側には、導入溝２８が凹設されている。導入溝２８は、装着筒部１２の前面から内周面にかけての部分を後方に向けて切り欠くことにより形成されている。これにより、スライダ収容空間１９と装着筒部の内周面側とを連通させるとともに、スライダ収容空間１９と装着筒部１２の前面側とを連通させることが可能となっている。その結果、導入溝２８を通じてフォロアピン２３を前方からスライダ収容空間１９の内部に進入させることができるようになっている。
【００１９】
スライダ収容空間１９を構成する内壁のうち幅方向外側の内壁には、スライダ３０を初期位置に保持するための仮係止凹部１９Ｃとスライダ３０を嵌合位置に保持するための本係止凹部１９Ａとが上下方向に離間した位置に配されている。また、仮係止凹部１９Ｃと本係止凹部１９Ａとの間には、スライダ収容空間１９と装着筒部１２の外周面側とを連通させる逃がし溝１９Ｄが形成されている。尚、初期位置とは、図９に示すスライダ３０の操作位置であって、両ハウジング１０，２０を緩く嵌め合わせたときにフォロアピン２３がカム溝３３の入口３３Ａにそのまま入り込める位置をいう。また、嵌合位置とは、図１０に示すスライダ３０の操作位置であって、スライダ３０をスライド操作するに伴ってフォロアピン２３がカム溝３３の終端３３Ｂに到達するとともに両ハウジング１０，２０の嵌合が完了する位置をいう。
【００２０】
スライダ３０は合成樹脂製で、図１１に示すように、略「門」形をなし、操作部３１と、その幅方向両端に配される一対のカム板３２，３２とからなる。カム板３２は、第１ハウジング１０のスライダ収容空間１９に対して上方から挿入することにより、第１ハウジング１０へのスライダ３０の組み付けが可能とされている。操作部３１の内面は、スライダ３０嵌合位置にあるときに第１ハウジング１０の当接面１７に当接可能とされている。尚、図１３における３４と３５は、スライダ３０を初期位置および嵌合位置に保持するためのロック部である。ロック部３４は、初期位置にあるスライダ３０の抜止めを行い、ロック部３５は、仮係止凹部１９Ｃの内壁に係止して初期位置にあるスライダ３０の前進規制を行うとともに、本係止凹部１９Ａの内壁に係止して嵌合位置にあるスライダ３０の抜止めを行うようになっている。また、スライダ３０を初期位置から嵌合位置へスライドさせる間は、ロック部３５が逃がし溝１９Ｄに入り込んでスライダ収容空間１９を構成する内壁と干渉することが回避されることにより、スライダ３０の操作力の低減が図られている（図２０参照）。
【００２１】
カム板３２の内面側には、図９に示すように、カム溝３３が形成されている。カム溝３３は、カム板３２の前端に開口するカム溝３３の入口３３Ａからその上部後方に配されるカム溝３３の終端３３Ｂに向けて斜め方向（両ハウジング１０，２０の嵌合方向とスライダ３０のスライド方向の双方に対して斜めをなす方向）に形成されている。尚、検知位置側（図１１における左側）のカム板３２の後端における操作部３１側の端部には、検知部材４０の後述する抜止め部４２を進入させるための挿通孔３２Ａが凹設されている。
【００２２】
後述する待機位置側（図１２における右側）のカム板３２は、検知位置側（図１２における左側）のカム板３２よりも後端側が後方に突出した形態とされており、この突出した部分は誤嵌合規制片３２Ｂとされている。誤嵌合規制片３２Ｂは、スライダ３０を正規方向から第１ハウジング１０に挿入するときには、左側スライダ収容空間１９Ｌの収容部１９Ｂに嵌り込むものの、正規方向以外では、誤嵌合規制片３２Ｂがスライダ収容空間１９の開口縁部と干渉して収容できないようになっている。これにより、誤嵌合規制片３２Ｂを備えたカム板３２は、左側スライダ収容空間１９Ｌの上方からのみ取り付けが可能となり、スライダ３０が第１ハウジング１０に対して上下反転や左右反転した姿勢で誤嵌合されるのを規制可能である。
【００２３】
操作部３１の外面には、検知部材４０が幅方向に移動可能に装着される操作面（本発明における操作部の外面に相当する）３１Ａが一段低く形成されている。操作面３１Ａの略中央には、図１２に示すように、検知部材４０の後述する撓み係止片４１の係止部４１Ａを収容するための空間３６が幅方向（検知部材４０の移動方向）に細長い形態で、かつ操作部３１の外面と内面を連通するようにして形成されている。空間３６内における検知位置側には、移動規制部３７が配されている。移動規制部３７は、空間３６を構成する内壁のうち前後方向に対向する内壁間に架設されている。また、空間３６のうち移動規制部３７よりも検知位置側の領域は、凹部３６Ａとされている。すなわち、移動規制部３７の検知位置側の側面は、凹部３６Ａの内壁の一部を構成している。尚、操作面３１Ａの後端のうち待機位置側には、切欠き部３１Ｂが形成されている。
【００２４】
検知部材４０は合成樹脂製で、図１５に示すように、略方形の板状をなす押圧部４３を有している。押圧部４３は、操作部３１の操作面３１Ａ上を幅方向（スライダ３０のスライド方向と直交する方向）に摺接可能とされている。押圧部４３の上面には、指当て面４３Ａが内方に湾曲して形成されている。指当て面４３Ａには、図示１２個の滑り止め突部４３Ｂが形成されている。押圧部４３の下面における前後両側縁には、図１６に示すように、互いに内側を向いたフック状の外れ止め部４４が幅方向に沿って一対設けられている。外れ止め部４４が操作面３１Ａの前後両側縁を外方から挟み込むようにして組み付けられると、検知部材４０は、待機位置（図６に示す検知部材４０の位置）と検知位置（図８に示す検知部材４０の位置）との間を上方へ抜止めされた状態で移動可能となっている。  押圧部４３の下面には、図１６に示すように、幅方向における全長さ範囲に亘って内方に向けて凹設された撓み空間４５が形成されている。撓み空間４５には、撓み係止片４１が配されている。撓み係止片４１は、待機位置側を基端部として検知位置側が上下方向に撓み可能に片持ち状に形成されている。撓み係止片４１の先端における下面には、係止部４１Ａが下方に突出して設けられている。待機位置にある検知部材４０の係止部４１Ａは、空間３６に臨む位置に配され、かつスライダ３０のスライド操作に伴って解除突部１６に当接可能とされている。
【００２５】
待機位置にある検知部材４０は、スライダ３０のスライド挿入途上では、図６に示すように、係止部４１Ａが移動規制部３７の右側面（待機位置側の側面）に係止することにより検知位置へ移動することが規制されている。そして、スライダ３０が嵌合位置に近づくと、係止部４１Ａが解除突部１６によって突き上げられて撓み係止片４１が上方に撓み変形するようになっている。こうして、スライダ３０が嵌合位置に到達すると、係止部４１Ａと移動規制部３７の係止が解除されるとともに検知部材４０が検知位置へ移動することが許容されるようになっている（図７参照）。さらに、係止部４１Ａは、検知部材４０が検知位置に至ると、図８に示すように、凹部３６Ａ内に嵌り込んで待機位置側の内壁に係止することにより検知部材４０が待機位置へ移動することを規制している。
【００２６】
後側の外れ止め部４４における検知位置側の端部には、嵌合位置にあるスライダ３０の抜け方向へのスライド操作を規制する抜止め部４２が配されている。抜止め部４２は、図３に示すように、後側の外れ止め部４４の下端より一段低い位置であって、検知部材４０の移動方向に沿って外方（待機位置側から検知位置側へ向かう方向）に突出して形成されている。抜止め部４２は、図４に示すように、スライダ３０が嵌合位置にあり、かつ検知部材４０が待機位置にあるときには、受け部１８の手前側に待避した位置にある。そして、この状態から検知部材４０を検知位置に移動させると、図５に示すように、抜止め部４２は、受け部１８に嵌合して、突出端が挿通孔３２Ａ内に入り込むようになっている。これにより、抜止め部４２の上面と受け部１８の内壁上面とが係止することにより嵌合位置にあるスライダ３０の抜け方向へのスライド操作が規制されるようになっている。
【００２７】
本実施形態は以上のような構造であって、続いてその作用を説明する。  
まず、スライダ３０を第１ハウジング１０に組み付ける。スライダ３０の組み付けに際しては、検知部材４０の押圧部４３（操作部３１）を押圧して誤嵌合規制片３２Ｂを備えたカム板３２を左側スライダ収容空間１９Ｌに対して第１ハウジング１０の上方から取り付ける。誤嵌合規制片３２Ｂが収容部１９Ｂに嵌り込むように組み付けることで、スライダ３０の誤嵌合が規制される。スライダ３０は、カム溝３３の入口３３Ａが導入溝２８と同じ高さ位置となる初期位置までスライド挿入されると、ロック部３４によって抜止めされ、かつロック部３５が仮係止凹部１９Ｃの内壁に係止して前進規制された状態となり、フォロアピン２３の進入に備えて待機する。
【００２８】
両ハウジング１０，２０の嵌合は、第１ハウジング１０の本体部１１をフード部２１内に緩く嵌合し、図９に示すように、導入溝２８を通じてフォロアピン２３をカム溝３３の入口３３Ａに進入させる。次に、この状態から、検知部材４０の押圧部４３を押圧することによりスライダ３０をスライド挿入させると、カム溝３３とフォロアピン２３との係合によるカム作用により、第１ハウジング１０が第２ハウジング２０側に引き寄せられていく（図２０参照）。
【００２９】
スライダ３０のスライド挿入途上では、撓み係止片４１の係止部４１Ａが移動規制部３７に当接しているため、検知部材４０は、待機位置から検知位置へ移動することが規制される。そして、スライダ３０が嵌合位置に近づくに伴って撓み係止片４１の係止部４１Ａが解除突部１６に当接して撓み係止片４１が上方に撓み変形する。そして、スライダ３０が嵌合位置に到達すると、図１０に示すように、両ハウジング１０，２０の嵌合が完了する。これと同時に、図７に示すように、撓み係止片４１の係止部４１Ａと移動規制部３７との係止が解除されて、検知部材４０の検知位置への移動が許容される。
【００３０】
検知部材４０が検知位置に至ると、図８に示すように、撓み係止片４１が復帰して係止部４１Ａが凹部３６Ａ内に入り込むとともに、係止部４１Ａが待機位置側の内壁に係止して検知部材４０が待機位置へ移動することが規制される。これと併行して、抜止め部４２は、第１ハウジング１０の受け部１８に嵌合しつつカム板３２の挿通孔３２Ａ内に進入し、抜止め部４２の上面と受け部１８の内壁上面が係止することで、嵌合位置にあるスライダ３０の抜け方向へのスライド操作が規制される。
【００３１】
以上のように、本実施形態では、スライダ３０の操作部３１に検知部材４０が設けられているから、スライド操作から検知部材４０の移動操作に移行する際に、指による押し込み位置を大きく場所変えしなくてもよい。また、両ハウジング１０，２０の嵌合完了位置までスライダ３０をスライド操作させたときに空間３６を通じて係止部４１Ａに接触して撓み係止片４１を撓ませて移動規制部３７と係止部４１Ａの係止を解除することにより待機位置にある検知部材４０が検知位置に向けて移動することを許容するようにしたから、両ハウジング１０，２０の嵌合途上で検知部材４０が不用意に待機位置から検知位置へ移動することが規制される。さらに、検知部材４０が検知位置に至ると、係止部４１Ａが凹部３６Ａ内に入り込んで撓み係止片４１が復帰するとともに凹部３６Ａの待機位置側の内壁に係止することにより検知部材４０が待機位置に移動することが規制されるようにしたから、検知部材４０を検知位置に保持することが可能である。これらに加えて、検知部材４０には、抜止め部４２が設けられ、スライダ３０が嵌合位置にあるときに第１ハウジング１０において抜止め部４２の突出端と移動方向に対向する位置には、受け部１８が設けられ、検知部材４０が検知位置に至ると抜止め部４２が受け部１８に係止してスライダ４０の抜け方向へのスライド操作を規制するようにしたから、検知部材４０の移動操作とスライダ３０の抜止めを同時に行うことが可能である。
【００３２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３３】
（１）実施形態１では、一対のカム板３２，３２を有するスライダ３０が例示されているが、本発明によると、検知部材４０を組み付けるための操作部３１が設けられていれば他の形態であってもよく、カム板３２を一枚板状としてもよい。
【００３４】
（２）実施形態１では、係止部４１Ａが空間３６内に入り込んでいるものを例示しているが、本発明によると、空間３６を通じて解除突部１６に臨むような位置に配されていれば係止部４１Ａが空間３６内に入り込む必要はなく、その場合には移動規制部３７を空間３６の外部に設けて係止部４１Ａと係止するようにすればよい。
【００３５】
（３）実施形態１では、抜止め部４２が受け部１８の内部に嵌合するようにしてあるが、本発明によると、抜止め部４２と受け部１８がスライド方向に係止可能であれば他の形態であってもよく、例えば、抜止め部４２を凹状とし、受け部１８を突状とすることで、受け部１８が抜止め部４２の内部に嵌合するようにしてもよい。
【００３６】
（４）実施形態１では、左側スライダ収容空間１９Ｌに対応するカム板３２に誤嵌合規制片３２Ｂを設けたものを例示しているが、本発明によると、右側スライダ収容空間１９Ｒに対応するカム板３２に誤嵌合規制片３２Ｂを設けるようにしてもよい。要するに、誤嵌合規制機能を備えたコネクタは、第１ハウジング１０と、この第１ハウジング１０と嵌合可能で、かつフォロアピン２３を有する第２ハウジング２０と、前記第１ハウジング１０に対し前記両ハウジング１０，２０の嵌合方向と直交する方向にスライド操作可能に組み付けられ、かつ前記フォロアピン２３と係合可能なカム溝３３を有するカム板３２が形成されたスライダ３０とを備え、そのスライダ３０をスライド操作することにより前記フォロアピン２３と前記カム溝３３の係合によるカム作用によって前記両ハウジング１０，２０の嵌合が行われるコネクタであって、前記カム板３２もしくは前記第１ハウジング１０のうちいずれか一方には、誤嵌合規制片３２Ｂが設けられ、他方には、前記スライダ３０を正規方向から挿入するときには前記誤嵌合規制片３２Ｂを収容するものの、正規方向以外では前記誤嵌合規制片３２Ｂを収容不能とする収容部１９Ｂが設けられる構成としたところに特徴を有する。
【図面の簡単な説明】
【００３７】
【図１】実施形態１において両ハウジングの嵌合途上を示す側断面図
【図２】その嵌合完了時を示す側断面図
【図３】その嵌合途上において待機位置にある検知部材の抜止め部の後方断面図
【図４】その嵌合完了時において待機位置にある検知部材の抜止め部の後方断面図
【図５】その嵌合完了時において検知位置にある検知部材の抜止め部の後方断面図
【図６】その嵌合途上において待機位置にある検知部材の係止部の後方断面図
【図７】その嵌合完了時において待機位置にある検知部材の係止部の後方断面図
【図８】その嵌合完了時において検知位置にある検知部材の係止部の後方断面図
【図９】その嵌合開始時において初期位置にあるスライダを示す斜視図
【図１０】その嵌合完了時において嵌合位置にあるスライダを示す斜視図
【図１１】そのスライダの背面図
【図１２】そのスライダの平面図
【図１３】そのスライダの側面図
【図１４】その検知部材の正面図
【図１５】その検知部材の平面図
【図１６】その検知部材の側面図
【図１７】その第１ハウジングの正面図
【図１８】その第１ハウジングの平面図
【図１９】その第１ハウジングの側面図
【図２０】その嵌合途上においてロック部が逃がし溝に嵌り込んだ状態を示す斜視図
【符号の説明】
【００３８】
１０…第１ハウジング
１６…解除突部
１８…受け部
２０…第２ハウジング
２３…フォロアピン
３０…スライダ
３１…操作部
３１Ａ…操作面（外面）
３３…カム溝
３６…空間
３６Ａ…凹部
３７…移動規制部
４０…検知部材
４１…撓み係止片
４１Ａ…係止部
４２…抜止め部
【図１】
0004631730.tif 000002
【図２】
0004631730.tif 000003
【図３】
0004631730.tif 000004
【図４】
0004631730.tif 000005
【図５】
0004631730.tif 000006
【図６】
0004631730.tif 000007
【図７】
0004631730.tif 000008
【図８】
0004631730.tif 000009
【図９】
0004631730.tif 000010
【図１０】
0004631730.tif 000011
【図１１】
0004631730.tif 000012
【図１２】
0004631730.tif 000013
【図１３】
0004631730.tif 000014
【図１４】
0004631730.tif 000015
【図１５】
0004631730.tif 000016
【図１６】
0004631730.tif 000017
【図１７】
0004631730.tif 000018
【図１８】
0004631730.tif 000019
【図１９】
0004631730.tif 000020
【図２０】
0004631730.tif 000021